(57)【特許請求の範囲】
【請求項１】
現在時刻を計時する時計機能およびタイムスケジュールを設定する機能を有し現在時刻がタイムスケジュールにより設定された時刻に一致すると負荷を制御する回路部を実装した回路基板と、タイムスケジュールの設定情報および時刻を表示可能であって回路基板に実装された表示器と、時刻およびタイムスケジュールを設定する際に操作される操作部と、回路基板を収納し前壁から表示器を露出させるケースとを備え、前記操作部を押操作が可能となるように弾性材料よりなるシート状部材に設けるとともに回路基板に形成した接点パターンに離接する可動接点を操作部に対応させてシート状部材に設け、ケースに形成した操作孔に前記操作部を挿通し操作部の周部をケースの前壁の内周面と前記回路基板との間に保持することを特徴とするタイムスイッチ。
【請求項２】
現在時刻を計時する時計機能およびタイムスケジュールを設定する機能を有し現在時刻がタイムスケジュールにより設定された時刻に一致すると負荷を制御する回路部を実装した回路基板と、タイムスケジュールの設定情報および時刻を表示可能であって回路基板に実装された表示器と、時刻およびタイムスケジュールを設定する際に操作される操作部と、回路基板を収納するケースとを備え、前記回路部は仕様を決める複数種類のプログラムからいずれかのプログラムを選択して動作するように構成され、各仕様に応じて回路基板に実装されるスイッチと表示灯との最大個数に対応した開口部をケースに設け、各仕様に応じたスイッチと表示灯との個数に応じた露出部を備え不要な開口部を隠すように覆う表示シートをケースに固着したことを特徴とするタイムスイッチ。
【請求項３】
前記ケースは、現在時刻を計時する時計機能およびタイムスケジュールを設定する機能を有し現在時刻がタイムスケジュールにより設定された時刻に一致すると負荷制御用のリレーを駆動する信号を発生する時計機能ブロックが収納された時計ケースと、電源および負荷を接続する端子ブロックを設けた端子台とを分離可能に結合して形成されていることを特徴とする請求項１または請求項２記載のタイムスイッチ。
【請求項４】
前記回路部は２４時間制または１２時間制で時刻を計時し、２４時間制と１２時間制との時刻の対比表が設けられていることを特徴とする請求項１ないし請求項３のいずれかに記載のタイムスイッチ。
【請求項５】
前記対比表はケースにおいて前記表示部の露出側面に設けられていることを特徴とする請求項４記載のタイムスイッチ。
【請求項６】
前記対比表は前記表示部に並べて設けられていることを特徴とする請求項５記載のタイムスイッチ。
【請求項７】
前記表示部に表示される時刻を対比表と同形式で表記することを特徴とする請求項４ないし請求項６のいずれかに記載のタイムスイッチ。
【発明の詳細な説明】
【０００１】
【発明の属する技術分野】
本発明は、あらかじめ設定した時刻に負荷を制御する電子式のタイムスイッチに関するものである。
【０００２】
【従来の技術】
従来、図１８に示すように、前面（図１８の上面）が開放されたボディ１１内にタイムスイッチの回路部をプリント基板よりなる回路基板３２’に実装した回路部を収納し、ボディ１１の前面に内カバー１２を覆着した構成のタイムスイッチが提供されている。
【０００３】
回路部は、時刻等を表示する液晶表示器と、弾性材料を用いて押釦を形成するとともに弾性材料の弾性を復帰力に用いたいわゆるゴムスイッチと、電子式のタイマ回路を含む回路部とを備える時計機能ブロック２１を備え、負荷を接続するための端子ブロック２２および負荷制御用のリレー２３も回路基板３２’に実装されている。回路部は、固定ねじ１３を用いてボディ１１に固定される。なお、ボディ１１には開閉可能な扉状のカバーが枢着されるが図１８では図示していない。内カバー１２は、ボディ１１に対して取付ねじ１４を用いて結合されており、内カバー１２には時計機能ブロック２１のうち液晶表示器やゴムスイッチの押釦などを露出させるための開口窓１２ａが形成されている。
【０００４】
しかしながら、上述の構成では、内カバー１２が端子ブロック２２を覆う構成であるから、端子ブロック２２への結線のために内カバー１２をボディ１１から外すと回路基板３２’の全体が露出することになる。その結果、端子ブロック２２への結線作業時に、回路基板３２’に設けた他の部品を損傷したり、屑や埃のような異物が付着するおそれがあり、場合によっては故障や事故の原因になることがある。
【０００５】
また、米国特許第５，３２９，０８２号には、ボディに固定されるプラスチックプレートに機械式の時計機能ブロックと端子ブロックとを取り付け、端子ブロックをプラスチックプレートから露出させる構造のタイムスイッチが記載されている。このタイムスイッチは、結線作業時に時計機能ブロックに傷を付けたり異物を付着させる可能性が少なく、故障や事故の可能性が低減されるものではあるが、プラスチックプレートに時計機能ブロックおよび端子ブロックを取り付けたりすることになるから、多種仕様の商品展開を行おうとすると、仕様の異なる時計機能ブロックごとに仕様に合わせた端子ブロックを一体に取り付けるためのプラスチックプレートを設計しなければならず、プラスチックプレートの品種が増加して製造コストが増加するという問題が生じる。
【０００６】
また、この構成では、商品開発時において品質確認試験を行って設計確認を行う際に、時計機能ブロックだけではなく端子ブロックの評価が必要になるから、時計機能ブロックのみを単独で確認評価する場合に比較すると確認項目が多くなり、設計確認の作業に多大な労力を要することになる。
【０００７】
【発明が解決しようとする課題】
この種の問題を解決するには、各種仕様において単一仕様の端子ブロックを共用化することが考えられるが、端子ブロックを共用化したとしても、上記構成では、時計機能ブロックおよび端子ブロックをプラスチックプレートに取り付けた状態で在庫することになるから、在庫状態では各仕様ごとの管理になり、各仕様で端子ブロックを共用しているにもかかわらず柔軟な在庫管理や生産管理ができないものである。たとえば、生産計画や受注の変化に応じて、端子ブロックを他の品種に流用しようとしても、他品種用に端子ブロックが時計機能ブロックと組み合わされているから、他品種への流用ができないことになる。
【０００８】
また、図１８に示した構成における時計機能ブロック２１は、図１９に示すように、端子ブロック２２およびリレー２３を実装した回路基板３２’に設けた接続端子９を介して回路基板３２’に接続されているのであって、時計機能ブロック２１は図２０に示す構成になっている。つまり、内ケース２１ａ内にブロック本体２１ｂが収納され、さらにブロック本体２１ｂとは別に設けた電源基板ブロック２１ｃを内ケース２１ａに重ねた状態で後カバー２１ｄと前カバー２１ｅとの間に挟むことによって時計機能ブロック２１が構成されている。さらに、ブロック本体２１ｃは、図２１に示すように、液晶表示器３４’および弾性材料よりなるシート状部材３５’を用いたいわゆるラバースイッチを備えており、液晶表示器３４’およびシート状部材３５’を導電ゴムを用いたコネクタ板３４ａ’を介して回路基板８に接続した状態で表示器ケース７に収納した構成を有する。したがって、シート状部材３５’は回路基板８と表示器ケース７との間に保持されることになる。このような構成を採用すると時計機能ブロック２１を構成する部品点数が非常に多くなり構成が複雑になって製造コストが増加するという問題が生じる。
【０００９】
本発明は上記事由に鑑みて為されたものであり、その目的は、構成が簡単で製造コストを低減することができ、しかも結線作業時に内部回路が露出しないようにして内部回路の損傷や異物の付着による故障や事故の可能性を低減し、さらには、開発時における設計確認の評価が容易であるとともに、多品種に展開する際に部品を共用化することによる在庫管理や生産管理の効率化が期待できるタイムスイッチを提供することにある。
【００１０】
【課題を解決するための手段】
請求項１の発明は、現在時刻を計時する時計機能およびタイムスケジュールを設定する機能を有し現在時刻がタイムスケジュールにより設定された時刻に一致すると負荷を制御する回路部を実装した回路基板と、タイムスケジュールの設定情報および時刻を表示可能であって回路基板に実装された表示器と、時刻およびタイムスケジュールを設定する際に操作される操作部と、回路基板を収納し前壁から表示器を露出させるケースとを備え、前記操作部を押操作が可能となるように弾性材料よりなるシート状部材に設けるとともに回路基板に形成した接点パターンに離接する可動接点を操作部に対応させてシート状部材に設け、ケースに形成した操作孔に前記操作部を挿通し操作部の周部をケースの前壁の内周面と前記回路基板との間に保持するものである。この構成によれば、シート状部材を回路基板との間に保持する部材として回路基板を収納するケースを兼用しているから、従来構成のように時計機能ブロックを収納する内ケース内にシート状部材を収納し、さらに内ケースをケースに収納して回路基板に接続する場合に比較すると容器の構成が簡単であって、コストが低減可能になる。
【００１１】
請求項２の発明は、現在時刻を計時する時計機能およびタイムスケジュールを設定する機能を有し現在時刻がタイムスケジュールにより設定された時刻に一致すると負荷を制御する回路部を実装した回路基板と、タイムスケジュールの設定情報および時刻を表示可能であって回路基板に実装された表示器と、時刻およびタイムスケジュールを設定する際に操作される操作部と、回路基板を収納するケースとを備え、前記回路部は仕様を決める複数種類のプログラムからいずれかのプログラムを選択して動作するように構成され、各仕様に応じて回路基板に実装されるスイッチと表示灯との最大個数に対応した開口部をケースに設け、各仕様に応じたスイッチと表示灯との個数に応じた露出部を備え不要な開口部を隠すように覆う表示シートをケースに固着したものである。この構成によれば、仕様に応じて回路部の動作を変更するとともに回路基板に実装する部品数を変更したときに、ケースを交換する必要がなくケースに固着される表示シートだけを交換すればよく、各仕様でケースを共用化して表示シートのみを仕様に合わせて在庫すればよいから、結果的に在庫スペースの低減につながる。また、仕様の異なる製品に柔軟に対応することが可能になる。
【００１２】
請求項３の発明は、請求項１または請求項２の発明は、前記ケースが、現在時刻を計時する時計機能およびタイムスケジュールを設定する機能を有し現在時刻がタイムスケジュールにより設定された時刻に一致すると負荷制御用のリレーを駆動する信号を発生する時計機能ブロックが収納された時計ケースと、電源および負荷を接続する端子ブロックを設けた端子台とを分離可能に結合して形成されているものである。この構成によれば、時計機能ブロックが端子ブロックとは別に設けた時計ケースに収納されるから、端子ブロックへの結線作業時に時計機能ブロックが露出せず、異物の付着などによる破損や故障の可能性が低減される。しかも、時計ケースと端子台とが分離可能であるから、設計時には時計機能ブロックのみの動作試験を行えばよく、端子ブロックの評価を行う必要がなく、設計確認の際に確認項目を少なくすることができる。しかも、端子ブロックは各種仕様の時計機能ブロックに共用することができるから、柔軟な組立加工が可能になる。
【００１３】
請求項４の発明は、請求項１ないし請求項３の発明において、前記回路部が２４時間制または１２時間制で時刻を計時し、２４時間制と１２時間制との時刻の対比表が設けられているものである。この構成では、２４時間制を主として利用している国や地域、あるいは１２時間制を主として利用している国や地域にかかわらず、一方の仕様で回路部を構成しておけば、対応表によって他方の仕様にも対応可能になり、２種類の回路部を設計する必要がなくコストの低減につながるものである。
【００１４】
請求項５の発明は、請求項４の発明において、前記対比表がケースにおいて前記表示部の露出側面に設けられているものである。この構成によれば、表示部と対比表とを容易に見比べることができるから、対比表の視認性が高くなる。
【００１５】
請求項６の発明は、請求項５の発明において、前記対比表が前記表示部に並べて設けられているものである。この構成によれば、表示部と対比表とが並んでいるから視認性がより高くなる。
【００１６】
請求項７の発明は、請求項４ないし請求項６の発明において、前記表示部に表示される時刻を対比表と同形式で表記するものである。この構成によれば、対比表と表示部との表記が一致しているから、対比表を用いた時刻の換算が容易になる。
【００１７】
【発明の実施の形態】
（第１の実施の形態）
図２に示すように、図示しないカバーとともに器体を形成する前面開放されたボディ１１にケース１５が収納される。ケース１５は、図３のように、電子式のタイマ回路を含む時計機能ブロック２１をボディ１１の内周面との間に収納する覆う収納する時計ケース３１と、電源および負荷が接続される端子ブロック２２および負荷制御用のリレー２３を収納する端子台４１とを分離可能に結合することにより形成されている。
【００１８】
時計ケース３１は後面および下面が開放され、図１、図４に示すように、時計機能ブロック２１を構成する部品が実装されたプリント基板よりなる回路基板３２を覆うものであって、回路基板３２は、回路基板３２の背面側から挿入される固定用ねじ３３を用いて時計ケース３１に固定される。回路基板３２には表示部としての液晶表示器３４が表示部として実装されている。液晶表示器３４にはセグメント式のものを用いており、図５に示すように、回路基板３２の回路パターンに対して導電ゴムよりなるコネクタ板３４ａを介して電気的に接続される。また、液晶表示器３４と回路基板３２との間には、スポンジ状のクッション材３４ｂが介装される。液晶表示器３４を回路基板３２に固定する部材としては、後面が開放されるとともに回路基板３２に固定される透明樹脂よりなる箱状の表示器ケース３４ｃが用いられ、表示器ケース３４ｃの中に、液晶表示器３４とコネクタ板３４ａとクッション材３４ｂとが収納されるとともに、表示器ケース３４ｃが回路基板３２に固定されることによって、液晶表示器３４が回路基板３２に対して固定されるとともに電気的に接続される。すなわち、表示器ケース３４ｃは後縁に複数個の取付爪３４ｄが突設されており、各取付爪３４ｄが回路基板３２に設けた取付孔３２ａに挿入されるとともに取付孔３２ａの周部に係止されることによって、表示器ケース３４ｃが回路基板３２に固定される。
【００１９】
ところで、時刻合わせや負荷の動作時刻の設定などを行うために、本実施形態では複数個の操作釦Ｓを設けてある。操作釦Ｓは図６のようにゴム弾性を有した１枚のシート状部材３５に一体に形成されている。シート状部材３５において各操作釦Ｓに対応する部位は、図７のように前方（図７の上方）に凹没した凹所３５ａを形成しており、凹所３５ａの周壁は開口側から奥側に向かって開口幅を狭めるテーパ状であり、他の部位よりも薄肉に形成されている。凹所３５ａの底面には導電ゴムを用いた可動接点３５ｂが固定され、可動接点３５ｂの後面は凹所３５ａの開口面よりも前方に位置している。操作釦Ｓに後方への押力を作用させると操作釦Ｓに対応した凹所３５ａの周壁が撓んで可動接点３５ｂが後方に移動し、可動接点３５ｂの後面は凹所３５ａの開口面よりも後方に突出する。また、操作釦Ｓへの押力を除去するとシート状部材３５の弾性によって元の位置に復帰する。回路基板３２において各可動接点３５ｂに対向する部位には、図１、図８のようにＹ字状の２つの導電パターンを組み合わせた接点パターン３２ｂがそれぞれ形成され、上述のように操作釦Ｓを押操作したときに、可動接点３５ｂが接点パターン３２ｂに接触することによって、Ｙ字状の導電パターン間が導通し、モメンタリ型の押釦スイッチ（つまり押操作中にのみオンになる押釦スイッチ）として機能させることができるのである。すなわち、シート状部材３５と回路基板３２に形成した接点パターン３２ｂとによって、いわゆるラバースイッチが形成されている。
【００２０】
時計ケース３１の前壁には液晶表示器３４を露出させる表示窓３１ａが形成されるとともに、各操作釦Ｓが挿通される多数の操作孔３１ｂが形成されている。シート状部材３５は、操作釦Ｓを除く部位が回路基板３２と時計ケース３１の内側面との間に挟持されることによって、時計ケース３１に保持される。具体的には、図４、図９に示すように、時計ケース３１の内側面に支持リブ３１ｃが突設され、シート状部材３５の周縁の全周および長手方向の中心線付近が支持リブ３１ｃと回路基板３２との間に挟持される。支持リブ３１ｃは操作孔３１ｂの周縁も囲むように形成され、操作釦Ｓを押操作したときに操作孔３１ｂの周部が撓むのを防止してある。
【００２１】
後述するように、本実施形態では２回路の負荷を各別に制御することができ、各回路ごとにタイマ回路によって負荷をオン・オフさせる状態と、タイマ回路の動作に関係なく常時オンにする状態と、タイマ回路の動作に関係なく常時オフにする状態との選択が可能になっている。この選択は各回路ごとに設けられ回路基板３２に実装されたスライドスイッチよりなるスイッチＳＷ１，ＳＷ２により行われる。また、回路基板３２には各回路の動作状態を示す発光ダイオードよりなる動作表示灯Ｌ１，Ｌ２がスイッチＳＷ１，ＳＷ２の近傍に実装され、さらに電源の通電状態を示す通電確認灯Ｌ３も回路基板３２に実装される。
【００２２】
時計機能ブロック２１には商用電源の停電時にバックアップ電源となるリチウム電池のような電池Ｂが接続されており、電池Ｂは回路基板３２とは別に設けた電池基板３６に保持される。電池基板３６は回路基板３２とは別体であって、時計ケース３１の内側面に立設した保持リブ（図示せず）により保持されるとともに、一部が時計ケース３１の内側面と回路基板３２との間に挟持されることによって、時計ケース３１から浮き上がらないように固定される。電池基板３６は一端部にコネクタ（レセプタクル）３７ａを有した接続線３７を介して回路基板３２に接続される。ここで、回路基板３２にはコネクタ３７ａに着脱自在と結合されるコネクタ（ポスト）３７ｂが設けられている。したがって、廃棄時には電池基板３６を回路基板３２とは分離して廃棄することができ、電池Ｂ内の内容物による環境汚染を防止し、また内容物の再利用を可能にする。
【００２３】
時計ケース３１に設けた表示窓３１ａの右側方には取付凹部が形成され、取付凹所の底面には動作表示灯Ｌ１，Ｌ２と通電確認灯Ｌ３とをそれぞれ露出させる開口部としての窓孔３１ｅが形成され、さらにスイッチＳＷ１，ＳＷ２の操作用ハンドル３８をスイッチＳＷ１，ＳＷ２とそれぞれ結合するための開口部としての透孔３１ｆも形成されている。この取付凹所には不透明材料により形成された表示シート３９が覆着される。この表示シート３９は時計ケース３１に対して接着ないし溶着することにより固着され、上述のようにスイッチＳＷ１，ＳＷ２を２個設ける場合には両操作用ハンドル３８をそれぞれ露出させる露出部としての２個のハンドル用窓３９ａと、２個の動作表示灯Ｌ１，Ｌ２および通電確認灯Ｌ３の点灯・消灯の状態をそれぞれ視認可能とするための露出部としての３個の透光窓３９ｂとが設けられる。また、後述する第２の実施の形態のようにスイッチＳＷ２が１個であるときには、１個のハンドル用窓３９ａと１個の動作表示灯Ｌ２および通電確認灯Ｌ３に対応する２個の透光窓３９ｂとが設けられる。つまり、時計ケース３１を共用し表示シート３９を交換するだけで、仕様の異なる２種類のタイムスイッチに対応可能となる。表示シート３９と時計ケース３１との関係は上述のものに限定されるわけではなく、選択可能な仕様においてハンドル用窓３９ａと透孔窓３９ｂとを最大数設けておき、不要なものを表示シート３９で覆うようにすればよいのである。
【００２４】
また、時計ケース３１の前面であって表示窓３１ａの左側方には２４時間表示と１２時間表示との対比表４０が設けられている。この対比表４０には、２４時間制の時刻と１２時間制の時刻とを横に並べて表記してあり、１２時間制の表記には午前と午後との別を合わせて表記してある。たとえば、２４時間制の時刻について、０：００、３：００、６：００、９：００、１２：００、１５：００、１８：００、２１：００と表記しているとすると、１２時間制の時刻については、ａｍ０：００、ａｍ３：００、ａｍ６：００、ａｍ９：００、ｐｍ０：００、ｐｍ３：００、ｐｍ６：００、ｐｍ９：００というように表記するのである。このような対比表４０を設けておけば、２４時間動作のタイムスイッチを用いながらも、１２時間制を主として用いている国や地域での使用が可能になる。つまり、液晶表示器３４に表示されている時刻を対比表４０で１２時間制の時刻に容易に換算することができ、２４時間制の時刻の認識が不得手であっても１２時間制の時刻に置き換えて誤りなく時刻の設定が行えることになる。
【００２５】
対比表４０は、シルク印刷やタンポン印刷のような印刷によって形成することができる。また、対比表４０を別途に印刷したシートを時計ケース３１に貼着してもよい。このように対比表４０を設ける場合には液晶表示器３４に表示される時刻の表記は対比表４０と同形式とされる。これにより、対比表４０による換算が一層容易になる。
【００２６】
ところで、上述のように、時計ケース３１には端子台４１が結合される。つまり、時計ケース３１の下端には図３に示すように断面コ字状の連結基台３１ｇが突設され、連結基台３１ｇの基部には前後方向のガイド溝３１ｈが形成される。また、連結基台３１ｇの後端部には外向きに突出する載台３１ｉが形成され、連結基台３１ｇの両側面であって載台３１ｉの前方には固定用凸部３１ｊが突設される。
【００２７】
一方、端子台４１は上端部に断面コ字状の連結台４１ａが形成されており、図１２に示すように、連結台４１ａの両側壁の上縁にはガイド溝３１ｈに挿入されるガイド突片４１ｂが内向きに突設されている。さらに、連結台４１ａの両側壁の内側面には固定用凸部３１ｊに凹凸係合する固定用凹部４１ｃが形成されている。さらに、連結台４１ａの下端部（図１２の上端部）には、載台３１ｉに噛合する切欠部４１ｄが形成されている。したがって、ガイド突片４１ｂをガイド溝３１ｈに挿入した状態で、端子台４１を時計ケース３１に対して後方に移動させると、固定用凸部３１ｊに固定用凹部４１ｃが凹凸係合して時計ケース３１と端子台４１とが一体に結合されるのである。
【００２８】
ところで、端子台４１は、図１０、図１１に示すように、端子台本体４２と、端子台カバー４３とを結合して形成されている。すなわち、端子台本体４２には前面中央部に左右方向の全長に亘る収納凹所４２ａが形成され、端子台カバー４３は収納凹所４２ａの前面に覆着される。この収納凹所４２ａは連結台４１ａの内部空間に連通している。端子台カバー４３の左右両端部には後方に突出する結合爪４３ａが設けられ、収納凹所４２ａの底面の左右両端部に設けた結合孔４２ｂに結合爪４３ａが係合することによって、端子台本体４２に端子台カバー４３が結合される。端子台本体４２の前面下端部には複数枚の隔壁４２ｃによって仕切られた左右複数区画の端子収納溝４２ｄが形成されている。端子台カバー４３には収納凹所４２ａと端子収納溝４２ｄとを仕切る仕切片４３ｂが設けられ、仕切片４３ｂに設けた嵌合溝４３ｃが隔壁４２ｃに嵌合する。
【００２９】
端子台４１の収納凹所４２ａには、２個のリレー２３が実装されるとともに商用電源を電源としてリレー２３を駆動するための回路部品が実装された回路基板４４が配置され、この回路基板４４には時計ケース３１に収納した回路基板３２と電気的に接続するためのコネクタ（ポスト）４４ａが取り付けられる。このコネクタ４４ａには、図１３に示すように、回路基板３２に接続された接続線４４ｂの先端部に設けたコネクタ（レセプタクル）４４ｃが接続される。また、回路基板４４には商用電源を接続するための端子板４５が半田接続され、リレー２３の端子には負荷を接続するための端子板４５が半田接続される。各端子板４５はそれぞれ端子収納溝４２ｄ内に配置され、端子収納溝４２ｄの底面に埋め込まれた端子ナット４６に螺合する端子ねじ４７が端子板４５に挿通される。各端子板４５の左右両側縁には後方に突出する固定脚４５ａが設けられ、固定脚４５ａが端子収納溝４２ｄの底面に挿入されることにより各端子板４５が端子台本体４２に固定される。
【００３０】
収納凹所４２ａと端子収納溝４２ｄとは端子台カバー４３に設けた仕切片４３ｂにより仕切られているから、端子板４５への結線作業時に電線が回路基板４４に接触することがなく、また回路基板４４への異物の付着も防止される。なお、図１３に示すように、収納凹所４２ａの適所には透孔部４２ｅが形成され、透孔部４２ｅを通して端子板４５と回路基板４４およびリレー２３との半田接続作業が行えるようにしてある。
【００３１】
図１１に示した構成から明らかなように、端子台４１に取り付けられる各部材は端子台本体４２に対して前面側から組み付けられるから、各部材を一方向から取り付けることができ、組立作業が容易になる。すなわち、端子台本体４２に対して端子ナット４６を取り付け、次に端子板４５を圧入して端子ねじ４７を端子ナット４６に螺合させる。その後、回路基板４４を収納凹所４２ａに挿入し、さらにリレー２３を取り付ける。ここで、リレー２３は図１０、図１１に示すように収納凹所４２ａの底面に突設した各一対の保持爪４２ｆにより保持される。この時点で端子台本体４２の表裏を逆にし、上述した透孔部４２ｅを通して半田接続作業を行い、この時点で端子台４１に設けた部品の機能を検査する。最後に端子台カバー４３を取り付ければ端子台４１が完成する。
【００３２】
上述したように、時計ケース３１と端子台４１とが互いに結合され一体化されることによってケース１５が形成されるのであって、このケース１５はボディ１１に収納される。ボディ１１は図１４のように後壁内周面の複数箇所に載置リブ１６ａが形成され、載置リブ１６ａの前縁にケース１５が当接する。また、ボディ１１の上壁内周面には一対の係止爪１６ｂが突設され、各係止爪１６ｂは時計ケース３１の上面に形成した導入溝１６ｃの内部に設けてある爪部（図示せず）を係止してケース１５の上部がボディ１１から浮き上がらないように固定する。また、ボディ１１の後壁内周面の下部には保持用フック１６ｄが突設され、端子台４１の両側面に形成した保持凹所４１ｅに保持用フック１６ｄの先端部が係合することによって、端子台４１がボディ１１から浮き上がるのが防止される。つまり、ケース１５は、係止爪１６ｂと保持用フック１６ｄとによりボディ１１に固定される。ここで、ケース１５は上述のように載置リブ１６ａの前縁に当接しているから、ボディ１１の後壁内周面とケース１５の後面との間には隙間が形成される。そこで、ボディ１１の後壁内周面には端子台４１の下端部後面との間の隙間を塞ぐように異物防止リブ１６ｅが突設されている。この異物防止リブ１６ｅによってボディ１１とケース１５との隙間から異物が浸入することが防止されるのであって、ケース１５の後面に開放部分があってもケース１５の中に異物が入り込むことがないのである。ボディ１１の後壁内周面には端子ねじ４７に対応する部位でボス１６ｆが突設されており、このボス１６ｆは端子台４１の後面に当接する。したがって、端子ねじ４７を締め付ける際に、端子台４１に作用する力をボス１６ｆで受けることができ、端子台４１が撓むのを防止することができる。
【００３３】
ボディ１１の下部両側壁、下壁、下部後壁（図示せず）には周部に薄肉部分を有したノックアウト部１１ａ（図２、図１４参照）が形成され、ノックアウト部１１ａを切除することによって外部電線をボディ１１に導入する入線孔が形成される。
【００３４】
なお、ケース１５はボディ１１に対して係止爪１６ｂと保持用フック１６ｄとにより結合されているが、ねじを用いてケース１５をボディ１１に固定してもよい。また、時計ケース３１と端子台４１とについてもねじを用いて結合してもよい。上述の構成例では、回路基板３２と回路基板４４とをコネクタ４４ａ，４４ｃを用いて電気的に接続しているがコネクタ４４ａ，４４ｃを用いずに接続してもよい。また同様に電池基板３６についてもコネクタ３７ａ，３７ｂを用いずに接続してもよい。
【００３５】
ところで、本実施形態は、図１５に示す回路構成を有する。図ではボディ１１と、時計ケース３１および端子台４１との関係が示され、さらに時計ケース３１と端子台４１とに収納される回路基板３２および回路基板４４に各回路をどのように割り当てて実装するかを示してある。
【００３６】
電源端子５１ａとなる端子板４５は回路基板４４に接続され、負荷端子５１ｂとなる端子板４５はリレー２３に接続される。リレー２３は２個設けられており、回路基板４４に実装された駆動回路５２により制御される。駆動回路５２への電源は電源端子５１ａを介して接続された商用電源を整流回路５３により整流し、定電圧回路５４により定電圧化することによって得られる。整流回路５３および定電圧回路５４も回路基板４４に実装される。
【００３７】
一方、時計機能ブロック２１は現在時刻を計時する時計機能、タイムスケジュールを設定するタイマ機能などを実現するマイコン６０を備え、マイコン６０は時計用発信回路６１より与えられるクロック信号に基づいて時刻を計時し、システムクロック発振回路６２より与えられるクロック信号に基づいて動作する。上述した操作釦Ｓにより構成されるラバースイッチはマトリクス状に配列されてキーマトリクス６２を形成しており、キーマトリクス６３においてどの操作部Ｓが操作されたかを認識してマイコン６０に操作情報を与える。なお、マイコン６０の動作は機種切替入力回路６４により切替可能になっている。機種切替入力回路６４は、たとえば本実施形態のような２回路の負荷を独立して制御するものや、後述する第２の実施の形態のような２回路の負荷を一括して制御するものや、１週間単位でタイムスケジュールを設定可能なもの、１日単位でタイムスケジュールを設定可能なものなどの動作モードの切替を行う。つまり、マイコン６０には複数種類の仕様のプログラムが設定されており、機種切替入力回路６４を用いていずれかのプログラムを選択して動作させるようになっている。また、マイコン６０には上述した液晶表示器３４、動作表示灯Ｌ１，Ｌ２、通電確認灯Ｌ３も接続される。さらに、マイコン６０には時計機能のバックアップ電源となる電池Ｂが接続される。
【００３８】
回路基板３２には、上述した電源端子５１ａに接続されている整流回路６５が設けられ、整流回路６５から出力される脈流電圧は定電圧回路６６により定電圧化される。この定電圧回路６６の出力によって動作確認灯Ｌ３が点灯するが、定電圧回路６６の出力電圧はさらに定電圧回路６７に入力され、定電圧回路６７の出力がマイコン６０に電源として与えられる。また、定電圧回路６７の出力は停電検出回路６８にも与えられており、停電検出回路６８では定電圧回路６７の出力電圧の低下により商用電源の停電を検出する。停電検出回路６８によって商用電源の停電が検出されるとマイコン６０は時計機能のように停電時でも維持しなければならない機能以外は停止させる。また、停電検出回路６８は商用電源が復電すると、マイコン６０に復電を報知して通常の動作に復帰させる。電池Ｂは停電中に維持すべき機能に対してのみ電源を供給するから、消費電力はごく少なく、リチウム電池などを用いることによって１０年程度は電池交換の必要がないようにしてある。
【００３９】
ところで、操作部Ｓの操作によってマイコン６０に設定されたタイムスケジュールが実行されるときには、タイムスケジュールによって設定した時刻に現在時刻が一致するとマイコン６０からリレー駆動信号発生回路６９に対して指示が与えられるのであって、リレー駆動信号発生回路６９から出力される駆動信号が上述した駆動回路５２を通してリレー２３が制御されるのである。ここにおいて、本実施形態では２個のリレー駆動信号発生回路６９を備えており、各リレー駆動信号発生回路６９を通してそれぞれリレー２３が制御されるから、２回路の負荷を各別に制御することが可能になっている。つまり、２個のスイッチＳＷ１，ＳＷ２によって各リレー２３ごとに出力の状態を選択することが可能になっているのである。
【００４０】
（第２の実施の形態）
本実施形態は、図１６、図１７に示すように、２回路の負荷を制御することが可能ではあるが、第１の実施の形態のように２回路の負荷を各別に制御するものではなく、同じ状態に制御するように構成してある。要するに２個のリレー２３を並列あるいは直列に接続し、リレー駆動信号発生回路６９および駆動回路５２を１つずつ設けてある。
【００４１】
上述のような回路を採用するときには、動作表示灯Ｌ１およびスイッチＳＷ１を１個ずつ設けるだけでよい。ここで、２回路の負荷を個別に制御する第１の実施の形態の回路と、２回路の負荷を同じ状態に制御する本実施形態の回路とについて、各別の時計ケース３１を用いると製造コストが増加し、在庫スペースも大きくなる。そこで、両回路で時計ケース３１を共用し、表示シート３９のみを交換することによって両回路に対応可能としている。つまり、本実施形態では、表示シート３９として、１個のスイッチＳＷ１に対応した１個のハンドル用窓３９ａと、１個の動作表示灯Ｌ２および通電確認灯Ｌ３に対応した２個の透光窓３９ｂとを備えたものを用いる。このようにして、時計ケース３１の取付凹所に設けた１つの透孔３１ｆおよび１つの窓孔３１ｅを表示シート３９で覆うようにし、外観上では透孔３１ｆと窓孔３１ｅとを露出させないようにしているのである。他の構成および動作は第１の実施の形態と同様である。
【００４２】
【発明の効果】
請求項１の発明は、現在時刻を計時する時計機能およびタイムスケジュールを設定する機能を有し現在時刻がタイムスケジュールにより設定された時刻に一致すると負荷を制御する回路部を実装した回路基板と、タイムスケジュールの設定情報および時刻を表示可能であって回路基板に実装された表示器と、時刻およびタイムスケジュールを設定する際に操作される操作部と、回路基板を収納し前壁から表示器を露出させるケースとを備え、前記操作部を押操作が可能となるように弾性材料よりなるシート状部材に設けるとともに回路基板に形成した接点パターンに離接する可動接点を操作部に対応させてシート状部材に設け、ケースに形成した操作孔に前記操作部を挿通し操作部の周部をケースの前壁の内周面と前記回路基板との間に保持するものであり、シート状部材を回路基板との間に保持する部材として回路基板を収納するケースを兼用しているから、従来構成のように時計機能ブロックを収納する内ケース内にシート状部材を収納し、さらに内ケースをケースに収納して回路基板に接続する場合に比較すると容器の構成が簡単であって、コストが低減可能になるという利点がある。
【００４３】
請求項２の発明は、現在時刻を計時する時計機能およびタイムスケジュールを設定する機能を有し現在時刻がタイムスケジュールにより設定された時刻に一致すると負荷を制御する回路部を実装した回路基板と、タイムスケジュールの設定情報および時刻を表示可能であって回路基板に実装された表示器と、時刻およびタイムスケジュールを設定する際に操作される操作部と、回路基板を収納するケースとを備え、前記回路部は仕様を決める複数種類のプログラムからいずれかのプログラムを選択して動作するように構成され、各仕様に応じて回路基板に実装されるスイッチと表示灯との最大個数に対応した開口部をケースに設け、各仕様に応じたスイッチと表示灯との個数に応じた露出部を備え不要な開口部を隠すように覆う表示シートをケースに固着したものであり、仕様に応じて回路部の動作を変更するとともに回路基板に実装する部品数を変更したときに、ケースを交換する必要がなくケースに固着される表示シートだけを交換すればよく、各仕様でケースを共用化して表示シートのみを仕様に合わせて在庫すればよいから、結果的に在庫スペースの低減につながるという利点があり、しかも、仕様の異なる製品に柔軟に対応することが可能になるという利点がある。
【００４４】
請求項３の発明は、請求項１または請求項２の発明において、前記ケースが、現在時刻を計時する時計機能およびタイムスケジュールを設定する機能を有し現在時刻がタイムスケジュールにより設定された時刻に一致すると負荷制御用のリレーを駆動する信号を発生する時計機能ブロックが収納された時計ケースと、電源および負荷を接続する端子ブロックを設けた端子台とを分離可能に結合して形成されているものであり、時計機能ブロックが端子ブロックとは別に設けた時計ケースに収納されるから、端子ブロックへの結線作業時に時計機能ブロックが露出せず、異物の付着などによる破損や故障の可能性が低減される。しかも、時計ケースと端子台とが分離可能であるから、設計時には時計機能ブロックのみの動作試験を行えばよく、端子ブロックの評価を行う必要がなく、設計確認の際に確認項目を少なくすることができるという利点があり、しかも、端子ブロックは各種仕様の時計機能ブロックに共用することができるから、柔軟な組立加工が可能になるという利点がある。
【００４５】
請求項４の発明は、請求項１ないし請求項３の発明において、前記回路部が２４時間制または１２時間制で時刻を計時し、２４時間制と１２時間制との時刻の対比表が設けられているものであり、２４時間制を主として利用している国や地域、あるいは１２時間制を主として利用している国や地域にかかわらず、一方の仕様で回路部を構成しておけば、対応表によって他方の仕様にも対応可能になり、２種類の回路部を設計する必要がなくコストの低減につながるという利点がある。
【００４６】
請求項５の発明は、請求項４の発明において、前記対比表がケースにおいて前記表示部の露出側面に設けられているものであり、表示部と対比表とを容易に見比べることができるから、対比表の視認性が高くなるという利点がある。
【００４７】
請求項６の発明は、請求項５の発明において、前記対比表が前記表示部に並べて設けられているものであり、表示部と対比表とが並んでいるから視認性がより高くなるという利点がある。
【００４８】
請求項７の発明は、請求項４ないし請求項６の発明において、前記表示部に表示される時刻を対比表と同形式で表記するものであり、対比表と表示部との表記が一致しているから、対比表を用いた時刻の換算が容易になるという利点を有する。
【図面の簡単な説明】
【図１】本発明の第１の実施の形態の要部分解斜視図である。
【図２】同上の分解斜視図である。
【図３】同上の要部分解斜視図である。
【図４】同上の要部断面図である。
【図５】同様の要部分解斜視図である。
【図６】同上に用いるシート状部材を示し、（ａ）は正面図、（ｂ）は側面図である。
【図７】同上に用いるシート状部材を示す断面図である。
【図８】同上に用いる接点パターンを示す正面図である。
【図９】同上に用いる時計ケースの要部断面図である。
【図１０】同上の要部分解斜視図である。
【図１１】同上の要部分解斜視図である。
【図１２】同上の要部斜視図である。
【図１３】同上の要部断面図である。
【図１４】同上に用いるボディの斜視図である。
【図１５】同上に用いる回路部のブロック図である。
【図１６】本発明の第２の実施の形態を示す要部分解斜視図である。
【図１７】同上に用いる回路部のブロック図である。
【図１８】従来例を示す分解斜視図である。
【図１９】同上の要部分解斜視図である。
【図２０】同上の要部分解斜視図である。
【図２１】同上の要部分解斜視図である。
【符号の説明】
１５  ケース
２１  時計機能ブロック
２２  端子ブロック
２３  リレー
３１  時計ケース
３１ｅ  窓孔
３１ｆ  透孔
３２  回路基板
３２ｂ  接点パターン
３４  液晶表示器
３５  シート状部材
３５ｂ  可動接点
３９  表示シート
３９ａ  ハンドル用窓
３９ｂ  透孔窓
４０  対比表
４１  端子台
４４  回路基板
Ｌ１，Ｌ２  動作表示灯
Ｌ３  通電確認灯
Ｓ  操作部
ＳＷ１，ＳＷ２  スイッチ
【図１】
0003566870.tif 000002
【図２】
0003566870.tif 000003
【図３】
0003566870.tif 000004
【図４】
0003566870.tif 000005
【図５】
0003566870.tif 000006
【図６】
0003566870.tif 000007
【図７】
0003566870.tif 000008
【図８】
0003566870.tif 000009
【図９】
0003566870.tif 000010
【図１０】
0003566870.tif 000011
【図１１】
0003566870.tif 000012
【図１２】
0003566870.tif 000013
【図１３】
0003566870.tif 000014
【図１４】
0003566870.tif 000015
【図１５】
0003566870.tif 000016
【図１６】
0003566870.tif 000017
【図１７】
0003566870.tif 000018
【図１８】
0003566870.tif 000019
【図１９】
0003566870.tif 000020
【図２０】
0003566870.tif 000021
【図２１】
0003566870.tif 000022